(57)【要約】  室内機本体の前面側に設けられる前面パネルと、透明部品からなり、前面パネルの前面側から覆うように取り付けられる意匠カバーと、を備えた壁掛け用の空気調和機の室内機であって、意匠カバーは、矩形状の平面部と、平面部の側部に設けられ、背面側に突出した周壁部と、を有し、平面部は、正面視して背面側に左端部から右端部にかけて、連続して突出した凸、または連続して凹んだ凹が複数設けられ、凸または凹は上下方向に並設されており、意匠カバーの背面側には、パール塗料の塗装が施されており、さらにパール塗料の上から背景色塗料の塗装が施されているものである。
2017033257.tif 000002
【特許請求の範囲】
【請求項１】
室内機本体の前面側に設けられる前面パネルと、
透明部品からなり、前記前面パネルの前面側から覆うように取り付けられる意匠カバーと、を備えた壁掛け用の空気調和機の室内機であって、
前記意匠カバーは、
矩形状の平面部と、該平面部の側部に設けられ、背面側に突出した周壁部と、を有し、
前記平面部は、
正面視して背面側に左端部から右端部にかけて、連続して突出した凸、または連続して凹んだ凹が複数設けられ、該凸または該凹は上下方向に並設されており、
前記意匠カバーの背面側には、パール塗料の塗装が施されており、さらに前記パール塗料の上から背景色塗料の塗装が施されている
空気調和機の室内機。
【請求項２】
前記前面パネルおよび前記意匠カバーは、前面の全体がフラットである
請求項１に記載の空気調和機の室内機。
【請求項３】
前記意匠カバーは無色透明であり、
前記背景色塗料は白色である
請求項１または２に記載の空気調和機の室内機。
【発明の詳細な説明】
【技術分野】
【０００１】
本発明は、壁面に据え付けられる壁掛け型の空気調和機の室内機に関するもので、特に前面パネルの構造に関するものである。
【背景技術】
【０００２】
空気調和機の室内機は、居住者などがいる室内に設置されるため、その外観が居住者などの視野に入る。そこで、空気調和機の室内機の意匠性を向上させるため、室内機本体の前面パネルの前面側に塗装加工または印刷加工が行われているものがあった。しかし、前面パネルの前面側は外部から擦れなどの刺激を受けることが多いため、塗装面または印刷面が傷ついたり剥がれたりして劣化し易く、意匠面が劣化するという課題があった。そこで、意匠面の劣化を抑制したものがある（例えば、特許文献１および特許文献２参照）。【０００３】
特許文献１では、室内機本体の前面側に透明な前面パネルを設け、その透明な前面パネルの背面側に色彩または模様を施している。また、特許文献２では、室内機本体の前面側に透明な前面パネルを設け、その透明な前面パネルの背面側に複数の凹凸を設け、その上からパール塗装を施し、さらにその上から背景色の塗装を施している。
以上のように、特許文献１および特許文献２では、透明な前面パネルの背面側に塗装などでデザインを施すことにより、外部から擦れなどの刺激を受けづらくし、意匠面の劣化を抑制しつつ意匠性を向上させている。
【先行技術文献】
【特許文献】
【０００４】
【特許文献１】特開２００４−１８４０５１号公報
【特許文献２】特許第５２６４８６０号公報
【発明の概要】
【発明が解決しようとする課題】
【０００５】
空気調和機の室内機を壁面の上部に据え付けた状態で意匠面を下から見上げた場合、特許文献１および特許文献２のような従来技術では、透明な前面パネルの背面側に塗装などでデザインが施されているため、デザインを透明越しに見ることになるが、デザインを透明越しに見ると見えづらいという課題があった。【０００６】
本発明は、以上のような課題を解決するためになされたもので、意匠面の劣化を抑制しつつ意匠性を向上させた空気調和機の室内機を提供することを目的としている。
【課題を解決するための手段】
【０００７】
本発明に係る空気調和機の室内機は、室内機本体の前面側に設けられる前面パネルと、透明部品からなり、前記前面パネルの前面側から覆うように取り付けられる意匠カバーと、を備えた壁掛け用の空気調和機の室内機であって、前記意匠カバーは、矩形状の平面部と、該平面部の側部に設けられ、背面側に突出した周壁部と、を有し、前記平面部は、正面視して背面側に左端部から右端部にかけて、連続して突出した凸、または連続して凹んだ凹が複数設けられ、該凸または該凹は上下方向に並設されており、前記意匠カバーの背面側には、パール塗料の塗装が施されており、さらに前記パール塗料の上から背景色塗料の塗装が施されているものである。
【発明の効果】
【０００８】
本発明に係る空気調和機の室内機によれば、意匠カバーの平面部は、背面側に左端部から右端部にかけて連続して突出した凸が複数設けられ、それらは上下方向に並設されていることにより、凸間にパール塗料がよく入り込むため、空気調和機の室内機を下から見上げた際に左右方向に設けられた凸が際立って見える。また、パール塗料の上から塗装が施されたカラー塗料により、全体の色調を調整することができる。その結果、空気調和機の室内機を壁面の上部に据え付けた状態において、意匠面である意匠カバーを下から見上げた場合でも、透明越しに凸のデザインをハッキリと見ることができるため、意匠性を向上させることができる。
【図面の簡単な説明】
【０００９】
【図１】本発明の実施の形態に係る空気調和機の室内機を正面側から見た外観斜視図である。
【図２】本発明の実施の形態に係る空気調和機の室内機の縦断面図である。
【図３】本発明の実施の形態に係る空気調和機の室内機の前面パネルおよび意匠カバーを示す斜視図であり意匠カバーを前面パネルに取り付ける前の図である。
【図４】本発明の実施の形態に係る空気調和機の室内機の前面パネルおよび意匠カバーを示す斜視図であり意匠カバーを前面パネルに取り付けた後の図である。
【図５】本発明の実施の形態に係る空気調和機の室内機の意匠カバーを模式的に示す第一の側面図である。
【図６】本発明の実施の形態に係る空気調和機の室内機の意匠カバーを模式的に示す第二の側面図である。
【図７】本発明の実施の形態に係る空気調和機の室内機の意匠カバーを模式的に示す正面図である。
【図８】本発明の実施の形態に係る空気調和機の室内機の前面パネルおよび意匠カバーを模式的に示す縦断面図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】
実施の形態．
図１は、本発明の実施の形態に係る空気調和機の室内機を正面側から見た外観斜視図であり、図２は、本発明の実施の形態に係る空気調和機の室内機の縦断面図である。
なお、図２は、図の左側を室内機の前面側として示している。
また、以下の説明において、理解を容易にするために方向を表す用語（例えば「上」、「下」、「右」、「左」など）を適宜用いるが、これは説明のためのものであって、これらの用語は本願発明を限定するものではない。また、本実施の形態では、室内機本体１００を正面視した状態において、「上」、「下」、「右」、「左」を使用する。
【００１２】
以下、図１および図２に基づいて、室内機の構成について説明する。  
本実施の形態に係る室内機は、冷媒を循環させる冷凍サイクルを利用することで室内などの空調対象域に空調空気を供給するものである。なお、本実施の形態では、室内機が空調対象域の壁面に取り付けられる壁掛け型である場合を例に示している。
【００１３】
室内機本体１００は、図１に示すように、背面側に設けられ壁面に取り付けられる背面ケース１と、前面側に設けられ凹部１１および前面吸込口１２が形成された前面パネル２と、前面パネル２の前面側に取り付けられる意匠カバー３と、上部に開口形成され、主に室内空気を内部に吸い込むための上部吸込口４と、下部に開口形成され、空調空気を空調対象域に供給するための吹出口５と、を備えている。
【００１４】
室内機本体１００内には、図２に示すように、上部吸込口４および前面吸込口１２から室内空気を吸い込み、吹出口５から空調空気を吹き出す送風ファン６と、送風ファン６を上方から覆うように配置され、冷媒と室内空気とで熱交換することで空調空気を作り出す熱交換器７と、が収納されている。そして、これらの構成要素により室内機本体１００内に空気流路が連通されている。また、室内機本体１００内にはさらに、回路基板などを収容する図示省略の電気品箱と、熱交換器７の下端部の下方に設けられ、熱交換器７の結露水を回収するドレンパン８と、を備えている。
【００１５】
なお、送風ファン６は、例えば、クロスフローファンであり、熱交換器７は、例えばフィンチューブ型熱交換器であるが、それらに限定されない。
【００１６】
また、上部吸込口４および前面吸込口１２と熱交換器７との間には、吸い込まれた室内空気に含まれる塵埃などを取り除くためのフィルター９が設けられている。さらに、吹出口５には、気流の吹出し方向を制御する上下風向調整板１０が設けられている。
【００１７】
次に、室内機本体１００内における空気の流れについて簡単に説明する。
まず、室内空気は、送風ファン６によって室内機本体１００の上部吸込口４および前面吸込口１２から室内機本体１００内に流れ込む。このとき、フィルター９によって空気に含まれている塵埃などが除去される。この室内空気は、熱交換器７を通過する際に熱交換器７内を導通している冷媒によって加熱または冷却されて空調空気となる。そして、空調空気は、上下風向調整板１０によって風向きが調整され、吹出口５から室内機本体１００の外部、つまり空調対象域に吹き出されるようになっている。
【００１８】
図３は、本発明の実施の形態に係る空気調和機の室内機の前面パネル２および意匠カバー３を示す斜視図であり意匠カバー３を前面パネル２に取り付ける前の図であり、図４は、本発明の実施の形態に係る空気調和機の室内機の前面パネル２および意匠カバー３を示す斜視図であり意匠カバー３を前面パネル２に取り付けた後の図である。なお、図３中の矢印は、意匠カバー３が取り付けられる位置を示している。
【００１９】
前面パネル２は意匠性を向上させるため前面の全体がフラットな面形状である。また、矩形状を有し、室内機本体１００が壁面に取り付けられた状態において、長手方向が左右方向、つまり、水平方向となり、短手方向が上下方向、つまり、鉛直方向となる。また、正面視して上下方向の中央に、左端部の内側から右端部の内側まで伸びる凹部１１が形成されている。そのため、前面パネル２は、図３に示すように、上下方向の中央が前面側から背面側に向かって凹んでいるが、凹部１１の左側および右側の前面はフラットである。また、凹部１１は、前面側から背面側に向かって凹んでおり、凹部１１の下部には、前面吸込口１２が形成されている。
なお、凹部１１が形成されている位置は、厳密に上下方向の中央でなくてもよい。
【００２０】
図５は、本発明の実施の形態に係る空気調和機の室内機の意匠カバー３を模式的に示す第一の側面図であり、図６は、本発明の実施の形態に係る空気調和機の室内機の意匠カバー３を模式的に示す第二の側面図であり、図７は、本発明の実施の形態に係る空気調和機の室内機の意匠カバー３を模式的に示す正面図であり、図８は、本発明の実施の形態に係る空気調和機の室内機の前面パネル２および意匠カバー３を模式的に示す縦断面図である。
【００２１】
意匠カバー３は、透明部品でできており、前面パネル２と同様に前面の全体がフラットな面形状である。また、矩形状を有し、室内機本体１００が壁面に取り付けられた状態において、長手方向が左右方向、つまり、水平方向となり、短手方向が上下方向、つまり、鉛直方向となる。また、意匠カバー３は、図５に示すように、矩形状の平面部３ａと、平面部３ａの四側部それぞれに設けられ、背面側に突出した周壁部３ｂと、で構成されている。意匠カバー３は、周壁部３ｂの一部または全部に設けられた図示省略の爪により、前面パネル２の前面側に取り付けられることで、意匠性を向上させている。
なお、周壁部３ｂは、平面部３ａの四側部全てにではなく、四側部のうち一部に設けてもよい。また、意匠カバー３を前面パネル２に取り付ける方法は爪に限定されず、例えば、接着剤などを用いて取り付けてもよい。
【００２２】
また、意匠カバー３の背面側には、図６に示すように、凸２０、パール塗料２１、および、カラー塗料２２によって、デザインが施されている。このように、意匠カバー３の背面側にデザインが施されているため、外部から擦れなどの刺激を受けづらく、意匠面の劣化を抑制することができる。
【００２３】
意匠カバー３の平面部３ａの背面側には、図５〜図７に示すように平面部３ａの左端部から右端部にかけて連続して突出した凸２０が複数設けられており、それらは上下方向に並設されている。また、凸２０は、図７に示すように、上下方向の幅、および高さが不規則に設けられている。さらに、隣り合う凸２０間の間隔も不規則に設けられている。つまり、意匠カバー３の平面部３ａの背面側には、単一方向に複数の微小な凸２０が設けられたヘアライン加工が施されている。以上のように凸２０を設けることで、凸２０の一部に影ができやすくなり、その他の光が反射する部分とのコントラストにより、凸２０が見えやすくなる。また、高級感ある洗練されたデザインを表現することができる。
【００２４】
また、意匠カバー３の背面側、つまり、平面部３ａの背面側および周壁部３ｂの内側には、図６に示すように、パール塗料２１の塗装が施されており、さらにその上から背景色となるカラー塗料２２の塗装が施されている。
パール塗料２１は、石の雲母の微粒子が混合された塗料で、光が当たるとその微粒子により光沢が出る。そのため、カラー塗料２２の色を背景色として、パール色の光が凸２０により屈折して散乱する。その光の散乱により、透明部品である意匠カバー３に対していずれの角度から見てもパール色の輝きが際立って見える。
【００２５】
以上のように、平面部３ａには背面側に凸２０が設けられ、パール塗料２１およびカラー塗料２２が施されているが、周壁部３ｂには凸２０が設けられておらず、内側にパール塗料２１およびカラー塗料２２が施されているのみである。そのため、平面部３ａのように影ができず、透明で光って見えるため、平面部３ａと周壁部３ｂとで見え方が異なる。そして、それがコントラストおよびアクセントとなり、意匠性を向上させることができる。
【００２６】
また、意匠カバー３の平面部３ａの背面側に、平面部３ａの左端部から右端部にかけて連続して突出した凸２０を複数設け、それらを上下方向に並設したことにより、凸２０間にパール塗料２１がよく入り込む。そのため、空気調和機の室内機を下から見上げた際に左右方向に設けられた凸２０が際立って見え、さらにパール塗料２１の上から塗装が施されたカラー塗料２２により、全体の色調を調整することができる。
【００２７】
その結果、空気調和機の室内機を壁面の上部に据え付けた状態において、意匠面である意匠カバー３を下から見上げた場合でも、透明越しに凸２０のデザインをハッキリと見ることができるため、意匠性を向上させることができる。
【００２８】
なお、カラー塗料２２は、本発明の「背景色塗料」に相当する。
【００２９】
また、図３、図４、および図８に示すように、意匠カバー３は、前面パネル２の前面側に対して、凹部１１の上側および下側にそれぞれ取り付けられる。詳しくは、前面パネル２の凹部１１の上側に取り付けられる意匠カバー３は、凹部１１の上端部から前面パネル２の上端部にかけて、前面パネル２の左端部から右端部までを覆うように取り付けられる。また、前面パネル２の凹部１１の下側に取り付けられる意匠カバー３は、凹部１１の下端部から前面パネル２の下端部にかけて、前面パネル２の左端部から右端部までを覆うように取り付けられる。そして、このように意匠カバー３を前面パネル２の前面側に取り付けることで、室内機本体１００を正面から見たときの意匠性を向上させている。
【００３０】
なお、本実施の形態では、意匠カバー３を、前面パネル２の凹部１１の上側および下側に１つずつ取り付ける構成としているが、それに限定されず、前面パネル２の凹部１１の上側に取り付けられる意匠カバー３を例えば２つなど複数に分割して構成してもよいし、前面パネル２の凹部１１の下側に取り付けられる意匠カバー３も同様に、例えば２つなど複数に分割して構成してもよい。また、前面パネル２から凹部１１を無くし、１つの意匠カバー３を、前面パネル２の前面全体を覆うように取り付ける構成としてもよい。
【００３１】
以上、本実施の形態に係る空気調和機の室内機によれば、意匠カバー３の背面側にデザインが施されているため、意匠面の劣化を抑制することができる。また、意匠カバー３の平面部３ａの背面側に、平面部３ａの左端部から右端部にかけて連続して突出した凸２０を複数設け、それらを上下方向に並設したことにより、凸２０間にパール塗料２１がよく入り込む。そのため、空気調和機の室内機を下から見上げた際に左右方向に設けられた凸２０が際立って見え、さらにパール塗料２１の上から塗装が施されたカラー塗料２２により、全体の色調を調整することができる。
【００３２】
その結果、空気調和機の室内機を壁面の上部に据え付けた状態において、意匠面である意匠カバー３を下から見上げた場合でも、透明越しに凸２０のデザインをハッキリと見ることができるため、意匠性を向上させることができる。
【００３３】
なお、本実施の形態では、意匠カバー３の背面側には、平面部３ａの左端部から右端部にかけて連続して突出した凸２０を複数設けたとしたが、凸２０の代わりに、平面部３ａの左端部から右端部にかけて連続して凹んだ凹を複数設けてもよく、凸２０と凹とを両方設けてもよい。
【符号の説明】
【００３４】
１  背面ケース、２  前面パネル、３  意匠カバー、３ａ  平面部、３ｂ  周壁部、４  上部吸込口、５  吹出口、６  送風ファン、７  熱交換器、８  ドレンパン、９  フィルター、１０  上下風向調整板、１１  凹部、１２  前面吸込口、２０  凸、２１  パール塗料、２２  カラー塗料、１００  室内機本体。
【図１】
2017033257.tif 000003
【図２】
2017033257.tif 000004
【図３】
2017033257.tif 000005
【図４】
2017033257.tif 000006
【図５】
2017033257.tif 000007
【図６】
2017033257.tif 000008
【図７】
2017033257.tif 000009
【図８】
2017033257.tif 000010
【手続補正書】
【提出日】平成29年11月28日(2017.11.28)
【手続補正１】
【補正対象書類名】明細書
【補正対象項目名】０００７
【補正方法】変更
【補正の内容】
【０００７】
本発明に係る空気調和機の室内機は、室内機本体の前面側に設けられる前面パネルと、透明部品からなり、前記前面パネルの前面側から覆うように取り付けられる意匠カバーと、を備えた壁掛け用の空気調和機の室内機であって、前記意匠カバーは、矩形状の平面部と、該平面部の側部に設けられ、背面側に突出した周壁部と、を有し、前記平面部は、正面視して背面側に左端部から右端部にかけて、連続して突出した凸、または連続して凹んだ凹が複数設けられ、該凸または該凹は上下方向に間隔を空けて並設されており、前記凸または前記凹は、上下方向の幅、高さ、および、隣り合う間隔が不規則に設けられており、前記意匠カバーの背面側には、パール塗料の塗装が施されており、さらに前記パール塗料の上から背景色塗料の塗装が施されているものである。
【手続補正２】
【補正対象書類名】特許請求の範囲
【補正対象項目名】全文
【補正方法】変更
【補正の内容】
【特許請求の範囲】
【請求項１】
室内機本体の前面側に設けられる前面パネルと、
透明部品からなり、前記前面パネルの前面側から覆うように取り付けられる意匠カバーと、を備えた壁掛け用の空気調和機の室内機であって、
前記意匠カバーは、
矩形状の平面部と、該平面部の側部に設けられ、背面側に突出した周壁部と、を有し、
前記平面部は、
正面視して背面側に左端部から右端部にかけて、連続して突出した凸、または連続して凹んだ凹が複数設けられ、該凸または該凹は上下方向に間隔を空けて並設されており、
前記凸または前記凹は、
上下方向の幅、高さ、および、隣り合う間隔が不規則に設けられており、
前記意匠カバーの背面側には、パール塗料の塗装が施されており、さらに前記パール塗料の上から背景色塗料の塗装が施されている
空気調和機の室内機。
【請求項２】
前記意匠カバーは、前面の全体がフラットである
請求項１に記載の空気調和機の室内機。
【請求項３】
前記意匠カバーは無色透明であり、
前記背景色塗料は白色である
請求項１または２記載の空気調和機の室内機。
【国際調査報告】
2017033257.tif 000011
2017033257.tif 000012